(57)【要約】【課題】適切な整備タイミングを判断できるように保全状況を表示する。【解決手段】設備は構成を階層的に複数の管理単位に分類されている。保全データベースには、管理単位の階層情報が記録され、また管理単位に紐付けて保全ノートが登録される。保全ノートには、故障情報、点検情報、整備指示情報のいずれかが基本保全情報として記録される。基本保全情報に附随させる附随保全情報は、附随すべき基本保全情報が記録された保全ノートに記録される。任意の管理単位を選択して、保全作業の履歴の表示を指示すると、選択された管理単位に紐付けられた各保全ノートとその下位の階層の管理単位に紐付けられた各保全ノートからそれぞれタイトルと日付と保全作業の種別が保全データベースから取得され、種別ごとに分類した状態で時系列にタイトルが並べて表示部に表示される。【選択図】図８
2015046119.tif 000002
【特許請求の範囲】
【請求項１】
設備の構成を複数の管理単位に階層的に分類し、この分類した前記管理単位の階層構造を示す階層情報を記憶した階層記憶部と、
保全情報を記録した複数の保全ノートがそれぞれ前記管理単位に紐付けて登録される保全データベースと、
入力される保全情報を記録した新規の保全ノートを指定される前記管理単位に紐付けて前記保全データベースに登録する保全ノート登録部と、
任意の前記管理単位が選択されて履歴表示が指示された際に、前記階層情報に基づいて選択された前記管理単位の下位の前記管理単位を特定し、選択された前記管理単位に紐付けられた前記保全ノート及び特定された前記管理単位に紐付けられた前記保全ノートに記録されている前記保全情報を前記保全データベースから取得する情報取得部と、
前記情報取得部が取得した前記保全情報に基づいて履歴表示のためのノート情報を保全ノート単位で生成し、各前記ノート情報を時系列に並べた履歴画面を生成する画面生成部と、
前記画面生成部で生成された前記履歴画面を表示する表示部と、
を備えることを特徴とする保全情報管理システム。
【請求項２】
前記保全情報は、故障情報、点検情報、及び整備を指示する整備指示情報のいずれかの基本保全情報と、前記基本保全情報に附随させる附随保全情報とであり、
前記附随保全情報が入力される附随保全情報記録部を備え、
前記保全ノート登録部は、前記基本保全情報を新規の前記保全ノートに記録して前記保全データベースに登録し、
前記附随保全情報記録部は、前記附随保全情報を附随させる前記基本保全情報が記録された前記保全ノートに記録することを特徴とする請求項１記載の保全情報管理システム。
【請求項３】
前記附随保全情報は、故障原因または異常原因を分析した分析情報、故障または異常に基づいて整備を指示する附随整備指示情報、この附随整備指示情報に基づいて実施された整備結果情報を含み、
前記附随保全情報記録部は、前記基本保全情報としての前記故障情報に対して、前記分析情報、前記附随整備指示情報、前記整備結果情報を記録し、前記点検情報に対して、前記分析情報、前記附随整備指示情報、前記整備結果情報を記録し、前記整備指示情報に対して、前記整備結果情報を記録することを特徴とする請求項２記載の保全情報管理システム。
【請求項４】
前記画面生成部は、前記基本保全情報に基づく前記ノート情報を生成することを特徴とする請求項２または３記載の保全情報管理システム。
【請求項５】
前記画面生成部は、前記ノート情報の基になる前記基本保全情報の種別に応じて点検、整備、故障に分類して各前記ノート情報を表示することを特徴とする請求項２ないし４のいずれか１項に記載の保全情報管理システム。
【請求項６】
前記ノート情報は、第１〜第３のノート情報を含み、
前記画面生成部は、前記基本保全情報に基づく前記第１のノート情報を生成し、かつ前記基本保全情報とともに前記保全ノートに前記附随整備指示情報と前記整備結果情報とが記録されている場合には、前記整備結果情報に基づく前記第２のノート情報を、また前記附随整備指示情報が記録され整備結果情報が記録されていない場合には、前記整備指示情報に基づく前記第３のノート情報をさらに生成し、前記第１〜第３のノート情報を時系列に並べた前記履歴画面を生成することを特徴とする請求項３記載の保全情報管理システム。
【請求項７】
前記画面生成部は、前記第１のノート情報を基になる前記基本保全情報の種別に応じて点検、整備、故障に分類して表示し、前記第２，第３のノート情報を整備に分類した前記履歴画面を生成することを特徴とする請求項６記載の保全情報管理システム。
【請求項８】
前記画面生成部は、前記階層情報に基づいて前記階層構造を示す階層画面をさらに生成し、
前記表示部は、前記履歴画面と前記階層画面とを表示することを特徴とする請求項１ないし７のいずれか１項に記載の保全情報管理システム。
【請求項９】
任意の前記保全ノートに対して新たな前記管理単位が指定されることに応答して、前記保全データベースにおける当該保全ノートの紐付けられた前記管理単位を指定された新たな前記管理単位に修正する修正部を備えることを特徴とする請求項１ないし８のいずれか１項に記載の保全情報管理システム。
【請求項１０】
設備の構成を階層的に分類した複数の管理単位の１つに紐付けられ、かつ保全情報が記録された複数の保全ノートが登録される保全データベースに対して、入力される前記保全情報を記録した新規の前記保全ノートを指定された前記管理単位に紐付けて登録する保全ノート登録ステップと、
任意の前記管理単位が選択されて履歴表示が指示された際に、前記管理単位の階層構造を示す階層情報に基づいて選択された前記管理単位の下位の前記管理単位を特定し、選択された前記管理単位に紐付けられた前記保全ノート及び特定された前記管理単位に紐付けられた前記保全ノートに記録されている前記保全情報を前記保全データベースから取得する情報取得ステップと、
前記情報取得ステップで取得した前記保全情報に基づいて、履歴表示のためのノート情報を保全ノート単位で生成し、各前記ノート情報を時系列に並べた履歴画面を生成する画面生成ステップと、
前記画面生成ステップで生成された前記履歴画面を表示する表示ステップと、
を有することを特徴とする保全情報管理方法。
【請求項１１】
前記保全情報は、故障情報、点検情報、及び整備を指示する整備指示情報のいずれかの基本保全情報と、基本保全情報に附随させる附随保全情報とであり、
前記附随保全情報が入力され、前記附随保全情報を附随させる前記基本保全情報が記録された前記保全ノートに記録する附随保全情報記録ステップを有し、
前記保全ノート登録ステップは、前記基本保全情報を新規の前記保全ノートに記録して前記保全データベースに登録することを特徴と請求項１０記載の保全情報管理方法。
【請求項１２】
前記附随保全情報は、故障原因または異常原因を分析した分析情報、故障または異常に基づいて整備を指示する附随整備指示情報、この附随整備指示情報に基づいて実施された整備結果情報を含み、
前記附随保全情報記録ステップは、前記基本保全情報としての前記故障情報に対して、前記分析情報、前記附随整備指示情報、前記整備結果情報を記録し、前記点検情報に対して、前記分析情報、前記附随整備指示情報、前記整備結果情報を記録し、前記整備指示情報に対して、前記整備結果情報を記録することを特徴とする請求項１１記載の保全情報管理方法。
【請求項１３】
前記画面生成ステップは、前記基本保全情報に基づく前記ノート情報を生成することを特徴とする請求項１１または１２記載の保全情報管理システム。
【請求項１４】
前記画面生成ステップは、前記ノート情報の基になる前記基本保全情報の種別に応じて点検、整備、故障に分類して各前記ノート情報を前記表示することを特徴とする請求項１１ないし１３のいずれか１項に記載の保全情報管理方法。
【請求項１５】
前記ノート情報は、第１〜第３のノート情報を含み、
前記画面生成ステップは、前記基本保全情報に基づく前記第１のノート情報を生成し、かつ前記基本保全情報とともに前記保全ノートに前記附随整備指示情報と前記整備結果情報とが記録されている場合には、前記整備結果情報に基づく前記第２のノート情報を、また前記附随整備指示情報が記録され整備結果情報が記録されていない場合には、前記整備指示情報に基づく前記第３のノート情報をさらに生成し、前記第１〜第３のノート情報を時系列に並べた前記履歴画面に生成することを特徴とする請求項１２記載の保全情報管理方法。
【請求項１６】
前記画面生成ステップは、前記第１のノート情報を基になる前記基本保全情報の種別に応じて点検、整備、故障に分類して表示し、前記第２，第３のノート情報を整備に分類した前記履歴画面を生成することを特徴とする請求項１５記載の保全情報管理方法。
【請求項１７】
前記画面生成ステップは、前記階層情報に基づいて、前記階層構造を示す階層画面をさらに生成し、
前記表示ステップは、前記履歴画面と前記階層画面とを表示することを特徴とする請求項１０ないし１６のいずれか１項に記載の保全情報管理方法。
【請求項１８】
任意の前記保全ノートに対して新たな前記管理単位が指定されることに応答して、前記保全データベースにおける当該保全ノートの紐付けられた前記管理単位を指定された新たな前記管理単位に修正する修正ステップを備えることを特徴とする請求項１０ないし１７のいずれか１項に記載の保全情報管理方法。
【請求項１９】
設備の構成を複数の管理単位に階層的に分類し、この分類した前記管理単位の階層構造を示す階層情報を記憶した階層記憶部と、
保全情報を記録した複数の保全ノートがそれぞれ前記管理単位に紐付けて登録された保全データベースと、
任意の前記管理単位が選択されて履歴表示が指示された際に、前記階層情報に基づいて選択された前記管理単位の下位の前記管理単位を特定し、選択された前記管理単位に紐付けられた前記保全ノート及び特定された前記管理単位に紐付けられた前記保全ノートに記録されている前記保全情報を前記保全データベースから取得する情報取得部と、
前記情報取得部が取得した前記保全情報に基づいて履歴表示のためのノート情報を保全ノート単位で生成し、各前記ノート情報を時系列に並べた履歴画面を生成する画面生成部と、
前記画面生成部で生成された前記履歴画面を表示する表示部と、
を備えることを特徴とする保全情報表示装置。
【請求項２０】
設備の構成を階層的に分類した複数の管理単位の１つに紐付けられ、かつ保全情報が記録された複数の保全ノートが登録された保全データベースを用い、任意の前記管理単位が選択されて履歴表示が指示された際に、前記管理単位の階層構造を示す階層情報に基づいて選択された前記管理単位の下位の前記管理単位を特定し、選択された前記管理単位に紐付けられた前記保全ノート及び特定された前記管理単位に紐付けられた前記保全ノートに記録されている前記保全情報を前記保全データベースから取得する情報取得ステップと、
前記情報取得ステップで取得した前記保全情報に基づいて、履歴表示のためのノート情報を保全ノート単位で生成し、各前記ノート情報を時系列に並べた履歴画面を生成する画面生成ステップと、
前記画面生成ステップで生成された前記履歴画面を表示する表示ステップと、
を有することを特徴とする保全情報表示方法。
【発明の詳細な説明】
【技術分野】
【０００１】
本発明は、設備保全に関わる情報を管理する保全情報管理システム及び方法、並びに保全情報表示装置及び方法に関するものである。
【背景技術】
【０００２】
製造ラインなどの設備は、稼働状態を維持するように保全（保守）作業が行われる。保全作業（点検や整備）に関する保全情報は、データベースに蓄積されて異常や故障の分析、将来的な点検や保全計画に利用されている。
【０００３】
例えば、特許文献１の保守カルテ表示装置は、データベース部と、検索部と、画面生成部と、画面生成部とを備えている。データベース部は、点検データ，整備データ，故障データ，保守履歴，及び保守計画を含む保守関連情報を機器単位で関連付けた保守カルテ情報が登録される。検索部は、ユーザが入力する検索条件に基づいてデータベース部上の保守カルテ情報を検索する。この検索で検索された保守カルテ情報に含まれるデータに応じたシンボルマークを保守カルテ情報とともに時系列に表示する保守カルテ表示画面を画面生成部が生成し、その保守カルテ表示画面を表示部で表示する。この保守カルテ表示装置では、機器コード（あるいは機器名称、機種コード）を検索条件として入力し、入力された機器コードに合致する保守カルテ情報を検索する。
【先行技術文献】
【特許文献】
【０００４】
【特許文献１】特開２００９−１１００６６号公報
【発明の概要】
【発明が解決しようとする課題】
【０００５】
ところで、適切な点検周期やタイミング、整備タイミングを決める等の保全計画を立てる場合には、蓄積された情報に基づいて実施された保全作業、実施時期や予定、実施頻度等の保全状況を把握することが重要である。保全状況の把握にあたっては、設備中の複数の装置の保全情報を表示して統括的に保全状況を把握することも、また個々の装置や部品等の保全情報を表示して個別の保全状況を把握することも重要である。しかしながら、特許文献１の保守カルテ表示装置では、予め設定された機器単位でしか保全情報を表示させることができない。例えば、統括的に保全状況を把握するために、情報に関連付けられる機器単位を大きくしてしまうと、個々の装置や部品等の保全状況を把握し難くなり、逆に個々の装置や部品を機器単位としてしまうと、統括的に保全状況を把握することが困難になる。個々の装置や部品を機器単位として、統括的に保全状況を把握する場合には、保全状況を表示すべき各装置や部品を同時に検索することも想定されるが、入力が煩雑になる他、入力漏れによって必要とする保全情報が表示されず、点検周期やタイミング、整備タイミングの判断を誤るおそれがある。
【０００６】
本発明は、上記課題を鑑みてなされたものであって、適切な保全計画を立てることができるように保全情報を表示することができる保全情報管理システム及び方法、並びに保全情報表示装置及び方法を提供することを目的とする。
【課題を解決するための手段】
【０００７】
上記目的を達成するために本発明の保全情報管理システムは、設備の構成を複数の管理単位に階層的に分類し、この分類した管理単位の階層構造を示す階層情報を記憶した階層記憶部と、保全情報を記録した複数の保全ノートがそれぞれ管理単位に紐付けて登録される保全データベースと、入力される保全情報を新規の保全ノートに記録し、この新規の保全ノートを指定される管理単位に紐付けて保全データベースに登録する保全ノート登録部と、任意の管理単位が選択されて履歴表示が指示された際に、階層情報に基づいて選択された管理単位の下位の管理単位を特定し、選択された管理単位に紐付けられた保全ノート及び特定された管理単位に紐付けられた保全ノートに記録されている保全情報を保全データベースから取得する情報取得部と、情報取得部が取得した保全情報に基づいて、履歴表示のためのノート情報を保全ノート単位で生成し、各ノート情報を時系列に並べた履歴画面を生成する画面生成部と、画面生成部で生成された履歴画面を表示する表示部と、を備えるものである。
【０００８】
保全情報は、故障情報、点検情報、及び整備を指示する整備指示情報のいずれかの基本保全情報と、基本保全情報に附随させる附随保全情報とであり、附随保全情報が入力される附随保全情報記録部を備え、保全ノート登録部は、基本保全情報を新規の保全ノートに記録して保全データベースに登録し、附随保全情報記録部は、附随保全情報を附随させる基本保全情報が記録された保全ノートに記録することが好ましい。
【０００９】
また、附随保全情報は、故障原因または異常原因を分析した分析情報、故障または異常に基づいて整備を指示する附随整備指示情報、この附随整備指示情報に基づいて実施された整備結果情報を含み、附随保全情報記録部は、基本保全情報としての故障情報に対して、分析情報、附随整備指示情報、整備結果情報を記録し、点検情報に対して、分析情報、附随整備指示情報、整備結果情報を記録し、整備指示情報に対して、整備結果情報を記録することが好ましい。
【００１０】
また、画面生成部は、基本保全情報に基づくノート情報を生成することが好ましい。
【００１１】
また、画面生成部は、ノート情報の基になる基本保全情報の種別に応じて点検、整備、故障に分類して表示することが好ましい。
【００１２】
また、ノート情報は、第１〜第３のノート情報を含み、画面生成部は、基本保全情報に基づく第１のノート情報を生成し、かつ基本保全情報とともに保全ノートに附随整備指示情報と整備結果情報とが記録されている場合には、整備結果情報に基づく第２のノート情報を、また附随整備指示情報が記録され整備結果情報が記録されていない場合には、整備指示情報に基づく第３のノート情報をさらに生成し、第１〜第３のノート情報を時系列に並べた履歴画面を生成することが好ましい。
【００１３】
また、画面生成部は、第１のノート情報を基になる基本保全情報の種別に応じて点検、整備、故障に分類して表示し、第２，第３のノート情報を整備に分類した履歴画面を生成することが好ましい。
【００１４】
また、画面生成部は、階層情報に基づいて階層構造を示す階層画面をさらに生成し、表示部は、履歴画面と階層画面とを表示することが好ましい。
【００１５】
また、任意の保全ノートに対して新たな管理単位が指定されることに応答して、保全データベースにおける当該保全ノートの紐付けられた管理単位を指定された新たな管理単位に修正する修正部を備えることが好ましい。
【００１６】
また、本発明の保全情報管理方法は、設備の構成を階層的に分類した複数の管理単位の１つに紐付けられ、かつ保全情報が記録された複数の保全ノートが登録される保全データベースに対して、入力される保全情報を記録した新規の保全ノートを指定された管理単位に紐付けて登録する保全ノート登録ステップと、任意の管理単位が選択されて履歴表示が指示された際に、管理単位の階層構造を示す階層情報に基づいて選択された管理単位の下位の管理単位を特定し、選択された管理単位に紐付けられた保全ノート及び特定された管理単位に紐付けられた保全ノートに記録されている保全情報を保全データベースから取得する情報取得ステップと、
情報取得ステップで取得した保全情報に基づいて、履歴表示のためのノート情報を保全ノート単位で生成し、各ノート情報を時系列に並べた履歴画面を生成する画面生成ステップと、画面生成ステップで生成された履歴画面を表示する表示ステップと、を有するものである。
【００１７】
保全情報は、故障情報、点検情報、及び整備を指示する整備指示情報のいずれかの基本保全情報と、基本保全情報に附随させる附随保全情報とであり、附随保全情報が入力され、附随保全情報を附随させる基本保全情報が記録された保全ノートに記録する附随保全情報記録ステップを有し、保全ノート登録ステップは、基本保全情報を新規の保全ノートに記録して保全データベースに登録することが好ましい。
【００１８】
また、附随保全情報は、故障原因または異常原因を分析した分析情報、故障または異常に基づいて整備を指示する附随整備指示情報、この附随整備指示情報に基づいて実施された整備結果情報を含み、附随保全情報記録ステップは、基本保全情報としての故障情報に対して、分析情報、附随整備指示情報、整備結果情報を記録し、点検情報に対して、分析情報、附随整備指示情報、整備結果情報を記録し、整備指示情報に対して、整備結果情報を記録することが好ましい。
【００１９】
また、画面生成ステップは、基本保全情報に基づくノート情報を生成することが好ましい。
【００２０】
また、画面生成ステップは、ノート情報の基になる基本保全情報の種別に応じて点検、整備、故障に分類して表示することが好ましい。
【００２１】
また、ノート情報は、第１〜第３のノート情報を含み、画面生成ステップは、基本保全情報に基づく第１のノート情報を生成し、かつ基本保全情報とともに保全ノートに附随整備指示情報と整備結果情報とが記録されている場合には、整備結果情報に基づく第２のノート情報を、また附随整備指示情報が記録され整備結果情報が記録されていない場合には、整備指示情報に基づく第３のノート情報をさらに生成し、第１〜第３のノート情報を時系列に並べた履歴画面に生成することが好ましい。
【００２２】
また、画面生成ステップは、第１のノート情報を基になる基本保全情報の種別に応じて点検、整備、故障に分類して表示し、第２，第３のノート情報を整備に分類した履歴画面を生成することが好ましい。
【００２３】
また、画面生成ステップは、階層情報に基づいて、階層構造を示す階層画面をさらに生成し、表示ステップは、履歴画面と階層画面とを表示することが好ましい。
【００２４】
また、任意の保全ノートに対して新たな管理単位が指定されることに応答して、保全データベースにおける当該保全ノートの紐付けられた管理単位を指定された新たな管理単位に修正する修正ステップを備えることが好ましい。
【００２５】
また、本発明の保全情報表示装置は、設備の構成を複数の管理単位に階層的に分類し、この分類した管理単位の階層構造を示す階層情報を記憶した階層記憶部と、保全情報を記録した複数の保全ノートがそれぞれ管理単位に紐付けて登録された保全データベースと、任意の管理単位が選択されて履歴表示が指示された際に、階層情報に基づいて選択された管理単位の下位の管理単位を特定し、選択された管理単位に紐付けられた保全ノート及び特定された管理単位に紐付けられた保全ノートに記録されている保全情報を保全データベースから取得する情報取得部と、情報取得部が取得した保全情報に基づいて履歴表示のためのノート情報を保全ノート単位で生成し、各ノート情報を時系列に並べた履歴画面を生成する画面生成部と、画面生成部で生成された履歴画面を表示する表示部と、を備えるものである。
【００２６】
また、本発明の保全情報表示方法は、設備の構成を階層的に分類した複数の管理単位の１つに紐付けられ、かつ保全情報が記録された複数の保全ノートが登録された保全データベースを用い、任意の管理単位が選択されて履歴表示が指示された際に、管理単位の階層構造を示す階層情報に基づいて選択された管理単位の下位の管理単位を特定し、選択された管理単位に紐付けられた保全ノート及び特定された管理単位に紐付けられた保全ノートに記録されている保全情報を保全データベースから取得する情報取得ステップと、情報取得ステップで取得した保全情報に基づいて、履歴表示のためのノート情報を保全ノート単位で生成し、各ノート情報を時系列に並べた履歴画面を生成する画面生成ステップと、画面生成ステップで生成された履歴画面を表示する表示ステップと、を有するものである。
【発明の効果】
【００２７】
本発明によれば、設備の構成を複数の管理単位に階層的に分類し、保全情報の履歴表示が指示された際に、選択された管理単位に紐付けられた各保全ノートと、この選択された管理単位の下位の管理単位に紐付けられた保全ノートとから保全情報を取得し、取得した保全情報に基づいて、履歴表示のためのノート情報を保全ノート単位で生成して時系列に並べた履歴画面を表示するから、選択する管理単位を上位・下位に変更するだけで、統括的な保全状況も個々の装置や部品の保全状況も容易に把握することができる。したがって、適切な保全計画を立てることができる。
【図面の簡単な説明】
【００２８】
【図１】本発明を実施した保全情報管理システムの概略を示す説明図である。
【図２】保全ノートの内容を示す説明図である。
【図３】各保全情報の内容の一例を示す説明図である。
【図４】設備の構成を複数の管理単位に分類した管理単位の階層構造の一例を示す説明図である。
【図５】階層構造に示される製膜設備の具体的な構成例を示す説明図である。
【図６】第１履歴ウインドウの表示例を示す説明図である。
【図７】第２履歴ウインドウの表示例を示す説明図である。
【図８】第２履歴ウインドウ内の第２履歴画面の例を示す説明図である。
【図９】ノートウインドウの表示例を示す説明図である。
【図１０】ノートウインドウ内に逆引画面を表示した状態を示す説明図である。
【図１１】ノートウインドウ内に分析画面を表示した状態を示す説明図である。
【図１２】ノートウインドウ内に整備画面を表示した状態を示す説明図である。
【図１３】ノートウインドウ内に故障報告画面を表示した状態を示す説明図である。
【図１４】第２履歴画面を表示する際の手順を示すフローチャートである。
【発明を実施するための形態】
【００２９】
図１において、本発明を実施した保全情報管理システム１０は、設備、例えば製造設備に関して収集される保全情報を利用しやすい形態で管理し、提供する。保全情報管理システム１０は、端末装置１１とサーバ装置１２とを備えている。
【００３０】
端末装置１１は、液晶ディスプレイなどで構成される表示部１４や、キーボード，マウス等からなる操作部１５を備えた一般的なコンピュータであり、所定のプログラムを実行することにより、保全情報管理システム１０の一部として機能する。この端末装置１１は、ＬＡＮ（Local Area Network）等によってサーバ装置１２と接続されており、操作部１５の操作で各種保全情報を保全情報管理システム１０に入力し、また表示部１４に表示する。なお、サーバ装置１２に複数台の端末装置１１を接続して利用できる。
【００３１】
サーバ装置１２は、ＣＰＵ、メモリ、ハードディスクドライブ、通信インターフェース回路などを備える一般的なコンピュータで構成されている。サーバ装置１２は、保全情報管理プログラムを実行することにより、保全データベース（ＤＢ）１６，保全ノート登録部１７，附随保全情報記録部１８，修正部１９，設備仕様データベース２１，日常点検データベース２２，画面生成部２３，情報取得部２４，逆引部２５などとして機能する。保全データベース１６は、保全情報を記録した保全ノートＷ（図３参照）が登録される。また、保全データベース１６は、後述する管理単位の階層構造、すなわち管理単位の上位・下位の関係を示す階層情報を記憶した階層情報記憶部になっている。なお、保全データベース１６に階層情報を記憶しているが、保全データベース１６とは別に階層情報を記憶した階層情報記憶部を設けてもよい。
【００３２】
保全情報管理システム１０では、保全対象とする設備の構成を複数の管理単位に階層的に分類した階層構造にし、管理単位ごとに保全情報を管理する。例えば、装置を構成する各部品のそれぞれを管理単位とし、これら部品で構成される装置が各部品の上位の管理単位となるように階層的に設備の構成を分類（階層化）している。この分類は、管理単位の上位・下位の関係が明確であれば任意の観点で行うことができる。上記のように装置や部品等の物として分類する観点以外にも、工程ごと、処理内容ごと、同じ機能を有するグループごとなどの様々な観点で分類することができる。
【００３３】
１つの保全ノートＷには１つの管理単位が紐付けられる。保全ノートＷに記録される保全情報としては、この例では点検情報、故障情報、整備指示情報、整備結果情報、分析情報、故障報告情報がある。これらの保全情報は、基本保全情報と附随保全情報に分類される。図２に示すように、保全ノートＷは、基本保全情報と、この基本保全情報に関連した各附随保全情報とをひとまとまりの情報としてまとめたものである。基本保全情報に対して、附随保全情報が必要に応じて記録される。
【００３４】
基本保全情報は、保全ノートＷを登録する契機となる事象の情報であり、新規の保全ノートＷを登録する際に入力される。一方、附随保全情報は、基本保全情報の事象から派生する情報であり、基本保全情報に附随させて一連の情報としておくことが好ましい情報である。１つの基本保全情報に対して１つの保全ノートＷが保全データベース１６に登録される。各附随保全情報は、附随すべき基本保全情報が記録されている保全ノートＷに記録される。
【００３５】
この例においては、故障情報、点検情報、及び整備指示情報を基本保全情報としている。故障情報を基本保全情報とする場合、その故障の原因を分析した分析情報、故障情報や分析情報に基づいて整備を指示する整備指示情報、この整備指示情報に基づいて実施された整備の整備結果情報、及び最終的な故障報告情報が附随保全情報となる。また、点検情報を基本保全情報とする場合では、点検情報に示される異常の原因を分析した分析情報、この点検情報や分析情報に基づいて整備を指示する整備指示情報、この整備指示情報に基づいて実施された整備の整備結果情報が附随保全情報である。
【００３６】
整備指示情報は、上記のように基本保全情報にも附随保全情報にもなり得る。整備指示情報を基本保全情報とした場合では、この整備指示情報に基づいて実施された整備の整備結果情報が附随保全情報となる。以下では、基本保全情報としての整備指示情報と、附随保全情報としての整備指示情報とを特に区別する必要がある場合には、前者を基本整備指示情報、後者を附随整備指示情報と称して説明する。
【００３７】
図３に示すように、いずれの保全情報にも、その保全情報の種別が含まれている。故障情報としては、図３（ａ）に示されるように、故障発生日、具体的な故障の内容を示す故障状況、故障に対応した処置等がある。点検情報は、周期的な点検を行った際に故障に至らない異常を発見したときに記録されるものである。この点検情報としては、図３（ｂ）に示されるように、異常発生日、発生した異常の内容を示す異常状況、異常に対応した処置等がある。なお、周期的な点検を行った結果、正常な場合や特に問題がない場合であっても点検情報を記録してもよい。この場合、全ての点検情報を履歴に表示してもよく、点検情報のうち異常を記録した点検情報だけを履歴に表示できるようにすることも好ましい。
【００３８】
整備指示情報は、整備の実施を指示する際に記録するものである。この整備指示情報としては、図３（ｃ）に示されるように、整備予定日、整備内容、整備に関する手順や交換部品の番号等を示す整備仕様、コスト等がある。整備結果情報は、整備を実施した際の整備内容を記録するものであり、図３（ｄ）に示されるように、整備実施日、実施した整備の具体的内容や交換された部品の状態、整備後の状態など示す整備状況等がある。分析情報としては、図３（ｅ）に示すように、分析日、故障や異常の原因を分析した分析結果、分析した際の資料などがある。故障報告情報は、図３（ｆ）示されるように、故障報告情報を入力した報告日、故障により発生した損害、故障の発生原因とその故障を防ぐ恒久的な対策（原因と対策）、他部門への依頼事項などの各種報告内容がある。
【００３９】
基本保全情報として記録される故障情報、点検情報、整備指示情報には、タイトルと特定場所とがさらに記録される。タイトルは、故障や異常、整備内容等を端的に示す情報として操作部１５から入力される。特定場所は、故障や異常が発生している管理単位、整備対象となっている管理単位であり、後述するように指定された保全ノートＷの紐付け先に応じて自動的に保全ノート登録部１７で記録される。
【００４０】
なお、基本保全情報に記録されるタイトルと特定場所とは、保全ノートＷ、及びそれに記録されている各附随保全情報に共通のものであって、附随保全情報の情報でもある。もちろん、基本保全情報と同じタイトルと特定場所を附随保全情報の一部として記録してもよい。
【００４１】
また、タイトルや特定場所を、点検情報などとは別の保全情報として保全ノートＷに記録してもよい。基本保全情報に対して、どの保全情報を附随保全情報とするかは適宜に変更できる。例えば整備を実施したところ実質的に故障であったと判断できる場合では、点検情報や整備指示情報の附随保全情報として故障報告情報を記録してもよい。また、この例では、故障情報、点検情報に基づいて整備を指示する場合の整備指示情報を附随保全情報としているが、その整備指示情報を基本保全情報としてもよい。
【００４２】
さらに、保全ノートＷは、基本保全情報と各附随保全情報とをひとまとまりとして扱うことができるのであれば、保全データベース１６上における各情報の記録態様はどのようなものであってもよい。例えば１個のレコードに、１つの保全ノートＷに記録すべき基本保全情報と附随保全情報の各情報のフィールドを設けて記録してもよい。また、基本保全情報と各附随保全情報をそれぞれ別々のレコードに記録し、基本保全情報が記録されたレコードのＩＤを各附随保全情報のレコードに記録することによって、それらを１つの保全ノートＷの情報として扱うこともできる。
【００４３】
操作部１５のマウスによるクリックや選択、キーボードでの文字の入力などにより、新規の保全ノートＷの生成の指示、保全ノートＷのタイトルの入力・修正、保全情報の入力、管理単位の指定や選択、特定場所の指定・修正、履歴表示、保全情報の表示の指示などを行う。操作部１５と表示部１４とによってグラフィカルユーザインターフェース（Graphical User Interface）を構成しており、各種の入力や指示・選択などは、そのグラフィカルユーザインターフェース（Graphical User Interface）を通して行うことができる。
【００４４】
なお、保全ノートＷの新規生成の指示や各種保全情報の入力、管理単位の指定や選択等は操作部の操作に限らない。例えば、整備計画を管理する整備管理サーバが、整備計画（スケジュール）に基づいて保全ノートＷの新規生成のコマンドや整備指示情報、整備対象の管理単位を自動的にサーバ装置１２に入力し、サーバ装置１２が、整備指示情報を基本保全情報として記録した新規の保全ノートＷを整備対象の管理単位に紐付けて保全データベース１６に登録してもよい。
【００４５】
新規の保全ノートＷを生成する場合には、操作部１５の操作により、生成する保全ノートＷを紐付ける管理単位すなわち特定場所と、記録する基本保全情報の種別とをそれぞれ指定して保全ノートＷの新規生成を指示する。保全ノート登録部１７は、新規生成の指示に応答して、指定された基本保全情報の種別に対応する新規の保全ノートＷを生成する。また、保全ノート登録部１７は、保全ノートＷの生成後に、操作部１５から入力される基本保全情報を新規の保全ノートＷに記録し、この保全ノートＷを指定された管理単位に紐付けて保全データベース１６に登録する。このときに基本保全情報には、指定された管理場所が特定場所として付加される。管理単位に保全ノートＷを紐付ける場合には、例えば基本保全情報が記録されたレコードに紐付けるべき管理単位に予め付与された管理単位ＩＤを記録すればよい。基本保全情報の特定場所の管理単位と紐付け先の管理単位は一致する。
【００４６】
保全ノートＷに附随保全情報を記録する場合には、操作部１５の操作により、記録すべき保全ノートＷを指定して附随保全情報を入力する。附随保全情報記録部１８は、保全データベース１６に登録されている保全ノートＷのうちの指定された保全ノートＷを特定し、その特定した保全ノートＷに附随保全情報を記録する。
【００４７】
修正部１９は、操作部１５の操作に応じて、保全ノートＷの紐付け先の管理単位（特定場所）を修正する。修正操作は、操作部１５で新たな管理単位を指定することで行う。この修正操作に応答して、修正部１９が例えば基本保全情報が記録されたレコードに付与されている管理単位ＩＤを指定された新たな管理単位の管理単位ＩＤにする。これにより、暫定的な特定場所の入力を許容し、また特定場所を順次に絞り込むように、特定場所を下位の管理単位に移すことができる。なお、操作部１５の操作に応じてタイトルも修正部１９によって修正される。
【００４８】
設備仕様データベース２１は、設備全体のものから個々の部品に至る仕様や図面等の情報（以下、設備情報という）を格納している。この設備情報は、保全対象の設備と同様に階層的に分類されて対応する管理単位に紐付けられている。これにより、例えば、分析や整備指示を行う際に、指定する管理単位及びそれの下位の設備情報の参照を容易にしている。
【００４９】
日常点検データベース２２は、設備を構成する各機器の測定データが収集されて格納されている。測定データは、機器の温度、振動の大きさ、電圧等を測定したものである。例えば測定対象の各機器に設けたセンサ部によって毎日所定の時刻に温度や振動の大きさ、電圧等の測定が行われる。点検員の巡回中に、点検員が携帯するデータ収集器３１が各センサ部からの測定データを順次に受信することによって測定データが収集される。データ収集器３１は、巡回後に端末装置１１に接続される。収集された測定データは、端末装置１１から端末装置１１のＩ/Ｆ部３２を介して日常点検データベース２２に格納される。Ｉ/Ｆ部３２は、測定データを格納する際に、測定対象の機器に対応する管理単位ＩＤを付与することにより、管理単位に関連付を行う。これにより、例えば分析を行う際に、指定する管理単位及びそれの下位の測定データの参照を容易にしている。
【００５０】
画面生成部２３は、情報取得部２４が取得した情報、逆引部２５が取得した情報に基づいて各種の画面を生成して表示部１４に表示する。また、画面生成部２３は、新規の保全ノートＷの生成時には、新規の保全ノートＷに基本保全情報を入力するための画面を生成する。情報取得部２４は、操作部１５の操作に基づいて、保全データベース１６、設備仕様データベース２１、日常点検データベース２２から各種情報を取得して、画面生成部２３に送る。
【００５１】
逆引部２５は、故障内容や異常内容とその原因とを対応付けた逆引データベース（図示省略）を備えている。この逆引部２５は、操作部１５で入力された故障や異常内容に対応する原因を逆引データベースで検索し、この検索で特定した原因を原因候補として画面生成部２３に送る。これにより、故障内容や異常内容に対応する原因候補を表示部１４に表示する。
【００５２】
図４に管理単位の階層構造の一例を示す。この例では、管理単位「Ａ工場」が最上位のであり、管理単位「Ａ工場」の下位の階層には、管理単位「検査設備」，「製膜設備」がある。管理単位「製膜設備」に対応する具体的な製膜設備の一例を図５に示す。製膜設備４０は、長尺なフィルム４１上に所定の機能を有する膜を形成する膜形成エリア４２と、その形成された膜を乾燥する乾燥エリア４３とが１本の製造ライン上にあり、ライン端部にフィルム４１を巻き取る巻取装置４４が配されている。管理単位「製膜設備」の下位の階層には、各エリア４２，４３及び巻取装置４４に対応する管理単位「膜形成エリア」，「乾燥エリア」，「巻取装置」がある。この「エリア」と「装置」のように分類のカテゴリが違う管理単位が同じ階層にあってもよい
【００５３】
乾燥エリア４３内には、フィルム４１を搬送する搬送装置４５と、膜の乾燥を行う乾燥装置４６とがあり、これらに対応して管理単位「乾燥エリア」の下位の階層に管理単位「搬送装置」，「乾燥装置」がある。搬送装置４５は、駆動系４７と、乾燥装置４６内でフィルム４１をガイドする第１パスロール４８ａ，第２パスロール４８ｂ，第３パスロール４８ｃ・・・・とが設けられている。駆動系４７は、搬送モータ４７ａと、搬送モータ４７ａで回転されてフィルム４１を搬送する搬送ローラ４７ｂと、搬送モータ４７ａを駆動する駆動回路４７ｃとで構成されている。
【００５４】
上記駆動系４７については、その構成にならって、管理単位「搬送装置」の下位の階層に管理単位「駆動系」を設け、この管理単位「駆動系」の下位に管理単位「搬送モータ」、「搬送ローラ」、「駆動回路」を設けている。第１パスロール４８ａ，第２パスロール４８ｂ，第３パスロール４８ｃ・・・・については、管理単位「搬送装置」の下位に、これらで同じ機能を有するグループの管理単位「パスロールグループ」を設け、この管理単位「パスロールグループ」の下位に管理単位「第１パスロール」，「第２パスロール」・・・を設定している。例えばパスロールがローラ本体、軸部、ベアリングの部品に分解できる場合、さらにパスローラの管理単位の下位にこれら部品の管理単位を設定してもよい。もちろん、このような細分化による管理の煩雑さを低減するために、あえて管理単位を細分化しなくてもよい。
【００５５】
一方、乾燥装置４６については、それを構成する給気ユニット５１、チャンバ５２、給気ユニット５１を構成する送風ファン５３と送風用駆動回路５４に対応して、管理単位「乾燥装置」の下位に管理単位「給気ユニット」、「チャンバ」を、また管理単位「給気ユニット」の下位に管理単位「送風ファン」、「送風用駆動回路」を設けている。さらに、管理単位「送風ファン」の下位には、送風ファン５３を構成する羽根５３ａと送風モータ５３ｂに対応して管理単位「羽根」，「送風ファン」を設定している。
【００５６】
なお、任意の１つの管理単位の下位の管理単位とは、当該１つの管理単位を上位とする各管理単位であって、基点とする最上位の管理単位からの階層の深さが当該１つの管理単位よりも深い管理単位を意味するものではない。例えば、管理単位「乾燥装置」の下位の管理単位は、「給気ユニット」、「チャンバ」、「送風ファン」、「送風用駆動回路」、「羽根」、「送風モータ」であるが、「搬送装置」の下位にある管理単位「パスロールグループ」、「駆動ユニット」及びこれらの下位にある各管理単位は「乾燥装置」の下位の管理単位ではない。
【００５７】
表示部１４には、第１履歴ウインドウＧ１（図６参照）、第２履歴ウインドウＧ２（図７参照）、ノートウインドウＧ３（図９参照）が表示される。各ウインドウＧ１〜Ｇ３は、同時に複数を表示してもよく、切替えて表示してもよい。
【００５８】
図６に示すように、第１履歴ウインドウＧ１内には、第１階層画面Ｇ１ａと、第１履歴画面Ｇ１ｂとが表示される。第１階層画面Ｇ１ａは、管理単位の階層構造を示すものであり、図４に示されるものと同様な階層構造図Ｄが表示される。第１階層画面Ｇ１ａを表示するために、情報取得部２４は、保全データベース１６から階層情報を取得する。この階層情報に基づいて、画面生成部２３は、階層構造図Ｄを含む第１階層画面Ｇ１ａを生成する。
【００５９】
第１階層画面Ｇ１ａ上の階層構造図Ｄは、操作部１５の操作によって、任意の管理単位の下位の階層を展開した状態で表示したり、展開を解除した状態で表示したりすることができる。これにより、必要とする管理単位や、その上位、下位の階層の参照を効率的なものにする。
【００６０】
第１履歴画面Ｇ１ｂは、階層構造図Ｄで選択されている管理単位とこの管理単位の下位の各管理単位に関する保全状況を示すものである。この第１履歴画面Ｇ１ｂを表示するために、情報取得部２４は、階層情報に基づいて、階層構造図Ｄで選択されている管理単位の下位の管理単位を特定し、選択されている管理単位に紐付けされている保全ノートＷと特定した管理単位に紐付けされている保全ノートＷとに記録されている保全情報をそれぞれ取得して画面生成部２３に送る。
【００６１】
画面生成部２３は、情報取得部２４から入力される保全情報のうちの基本保全情報から取り出した日付、特定場所、タイトル、種別をノート情報Ｒ１とする。このノート情報Ｒ１は、保全情報を取得した各保全ノートＷのそれぞれについて生成される。基本保全情報が故障情報、点検情報である場合には、故障発生日、異常発生日を日付として取り出す。基本保全情報が整備指示情報であって、整備結果情報が記録されていない場合には整備予定日を、また整備結果情報が記録されている場合には整備実施日を日付として取り出す。
【００６２】
画面生成部２３は、種別が「整備結果」である場合は種別を整備済みであることを示す「整備」に変換し、「整備指示」である場合には整備予定であることを示す「整備（予定）」に変換して用いる。
【００６３】
上記のように基本保全情報から取得されるノート情報Ｒ１が基本保全情報に基づいた第１のノート情報である。なお、種別を「整備（予定）」、「整備」に変換せず取得した「整備指示」、「整備結果」を表示してもよい。
【００６４】
また、この例では、基本保全情報が故障情報、点検情報であって、保全ノートＷに附随整備指示情報が記録されている場合には、画面生成部２３は、基本保全情報に基づくノート情報Ｒ１とは別に、附随整備指示情報または整備結果情報に基づくノート情報Ｒ１を生成する。附随整備指示情報と整備結果が記録されている場合には、画面生成部２３は、ノート情報Ｒ１の日付、タイトルとして整備実施日、整備状況を取り出し、種別としては「整備結果」を「整備」に変換して用いる。また、ノート情報Ｒ１の特定場所としては、基本保全情報に記録されている特定場所を用いる。この整備結果情報に基づくノート情報Ｒ１が第２のノート情報である。
【００６５】
附随整備指示情報が記録されているが整備結果情報が記録されていない場合には、画面生成部２３は、ノート情報Ｒ１の日付、タイトルとして整備予定日、整備内容を取り出し、種別としては「整備指示」を「整備（予定）」に変換して用いる。また、ノート情報Ｒ１の特定場所としては、基本保全情報に記録されている特定場所を用いる。この整備指示情報に基づくノート情報Ｒ１が第３のノート情報である。
【００６６】
画面生成部２３は、情報取得部２４が取得した各ノート情報Ｒ１を時系列に並べた第１履歴画面Ｇ１ｂを生成して表示部１４に表示する。時系列に並べる際の基準となる日付は、ノート情報Ｒ１の一部として取り出した日付である。
【００６７】
図７に示すように、第２履歴ウインドウＧ２内には、第２階層画面Ｇ２ａと、第２履歴画面Ｇ２ｂとが表示される。第２階層画面Ｇ２ａは、第１階層画面Ｇ１ａと同じく階層構造図Ｄを示す。第２履歴画面Ｇ２ｂは、第２階層画面Ｇ２ａ上の階層構造図Ｄで選択されている管理単位とこの管理単位の下位の各管理単位に関する保全状況を示すものであるが、その表示態様が第１履歴画面Ｇ１ｂとは異なっている。
【００６８】
図８に示すように、第２履歴画面Ｇ２ｂは、各ノート情報Ｒ２を故障、点検、整備の種別に分類した状態で時系列に並べたものである。第２履歴画面Ｇ２ｂを表示するために、情報取得部２４は、第１履歴画面Ｇ１ｂの場合と同様にして、階層構造図Ｄで選択されている管理単位に紐付けされた保全ノートＷと、この管理単位の下位の管理単位に紐付けされた保全ノートＷに記録されている保全情報を取得して画面生成部２３に送る。
【００６９】
画面生成部２３は、第２履歴画面Ｇ２ｂの表示の際には、基本保全情報のタイトルをノート情報Ｒ２とする。したがって、情報取得部２４から入力される保全情報のうちの基本保全情報に含まれるタイトルをノート情報Ｒ２とする。このノート情報Ｒ２は、保全情報を取得した各保全ノートＷのそれぞれについて生成される。また、画面生成部２３は、基本保全情報が故障情報、点検情報である場合には、基本保全情報に基づくノート情報Ｒ２とは別に、附随整備指示情報または整備結果情報に基づくノート情報Ｒ２を生成する。画面生成部２３は、附随整備指示情報と整備結果が記録されている場合には、整備状況をノート情報Ｒ２とし、また随整備指示情報が記録されているが整備結果情報が記録されていない場合には、整備内容に「（予定）」を付加したものをノート情報Ｒ２とする。
【００７０】
この第２履歴画面Ｇ２ｂの表示の際のノート情報Ｒ２についても、基本保全情報に基づくものが第１のノート情報であり、整備結果情報に基づくノート情報Ｒ２が第２のノート情報、整備指示情報に基づくノート情報Ｒ２が第３のノート情報である。
【００７１】
画面生成部２３は、上記のように生成されるノート情報Ｒ２を、整備、点検、故障に分類した状態で、日付に基づいて時系列に並べることで第２履歴画面Ｇ２ｂを生成する。時系列に並べる際の基準となる日付は、ノート情報Ｒ２が基本保全情報に基づくものであり、基本保全情報が故障情報、点検情報である場合には、故障発生日、異常発生日である。基本整備指示情報または附随整備指示情報に基づくノート情報Ｒ２については、整備予定日が基準となる日付であり、整備結果情報に基づくノート情報Ｒ２については整備実施日が基準となる日付である。
【００７２】
ノート情報Ｒ２が故障情報または点検情報に基づくものである場合には、故障または点検に分類され、ノート情報Ｒ２が基本整備指示情報、附随整備指示情報、あるいは整備結果情報に基づくものである場合には、整備に分類される。
【００７３】
なお、ノート情報Ｒ１，Ｒ２として表示する情報は、上記のものに限られない。例えば、整備指示情報、整備結果情報に共通な整備ようのタイトルを記録するようにしておき、そのタイトルをノート情報Ｒ２としてもよい。
【００７４】
ノートウインドウＧ３は、保全ノートＷに入力し、また保全ノートＷに記録されている保全情報を編集、閲覧するためのウインドウである。このノートウインドウＧ３は、保全ノートＷの新規生成指示、保全ノートＷの表示指示により表示される。
【００７５】
新規生成指示は、階層画面Ｇ１ａまたはＧ２ａ上の階層構造図Ｄでの任意の管理単位を選択（指定）した状態で、例えば表示部１４上に表示された点検、故障または整備の種別ごとの新規生成ボタン（図示省略）をクリックすることで行う。これにより、選択した管理単位が新規の保全ノートの紐付け先として指定され、基本保全情報の種別が指定される。既に登録済みの保全ノートＷの情報を閲覧、編集する場合には、第１履歴画面Ｇ１ｂまたはＧ２ｂ上に表示されているいずれかのノート情報Ｒ１，Ｒ２を選択して、保全ノートＷの表示を指示する。これにより、選択している保全ノートＷの情報がノートウインドウＧ３に表示される。
【００７６】
図９に一例を示すように、ノートウインドウＧ３は、第３履歴画面Ｇ３ａを表示する履歴表示エリアと、保全ノートＷに記録されている保全情報を表示する情報表示エリアとを有している。また、ノートウインドウＧ３内には、各ボタン５６ａ〜５６ｅが表示される。
【００７７】
ノートウインドウＧ３の情報表示エリアには、図９に示されるように保全ノートＷに記録されている基本保全情報を表示するメイン画面Ｇ３ｂ、逆引画面Ｇ３ｃ（図１０参照）、分析画面Ｇ３ｄ（図１１）、整備画面Ｇ３ｅ（図１２）、故障報告画面（図１３参照）が各ボタン５６ａ〜５６ｅのクリック操作に応答して切り替えて表示される。
【００７８】
情報表示エリアに表示される各画面の項目には、保全ノートＷに記録されている情報が表示され、これにより情報を参照できる他、表示されている内容を編集することができる。
未記録の項目については、操作部１５の操作によって入力することができる。
【００７９】
メイン画面Ｇ３ｂは、メインボタン５６ａのクリック操作で表示される。図９は、点検情報を基本保全情報としたメイン画面Ｇ３ｂを示しており、種別、タイトル、特定場所、発生日（異常発生日）、状況、処置が表示される。故障情報のメイン画面Ｇ３ｂについても同様な内容が表示される。
【００８０】
逆引ボタン５６ｂのクリック操作で、図１０に示すように、逆引画面Ｇ３ｃが表示される。逆引画面Ｇ３ｃは、基本情報に記録されている種別、タイトル、特定場所、発生日、キーワード欄、検索ボタン５７、検索結果欄などが表示される。キーワード欄には、故障や異常の症状、発生している場所に関するキーワードを入力する。キーワード欄にキーワードを入力した状態で検索ボタン５７をクリック操作することによって、検索結果欄に故障や異常の原因候補が表示される
【００８１】
分析ボタン５６ｃのクリック操作により、図１１に示すように、分析画面Ｇ３ｄが表示される。分析画面Ｇ３ｄは、基本情報に記録されている種別、タイトル、特定場所、発生日と、分析の際に取得した測定データや撮影画像データ、コメントを記入・添付する資料欄と、分析結果を入力する分析結果欄がある。
【００８２】
整備ボタン５６ｄのクリック操作により、図１２に示すように、附随保全情報としての整備指示情報、整備結果情報を入力・表示する整備画面Ｇ３ｅが表示される。この整備画面Ｇ３ｅは、基本情報に記録されている種別、タイトル、特定場所、発生日の他に、整備指示情報としての整備内容、整備仕様、コスト、整備予定日と、整備結果情報としての整備実施日と整備状況が表示される。なお、整備指示情報が基本保全情報である場合には、整備画面Ｇ３ｅと同じ表示内容のメイン画面Ｇ３ｂが表示される。
【００８３】
基本保全情報が故障情報である場合に、故障ボタン５６ｅのクリック操作が可能になる。故障ボタン５６ｅのクリック操作により、図１３に示すように、故障報告情報を入力、表示する故障報告画面Ｇ３ｆが表示される。この故障報告画面Ｇ３ｆは、基本情報に記録されている種別、タイトル、特定場所、発生日の他に、報告日、損害、故障の原因と対策、依頼事項が表示される。
【００８４】
第３履歴画面Ｇ３ａには、情報表示エリアに情報を表示している保全ノートＷの紐付け先の管理単位およびその管理単位の下位の管理単位に紐付けされている各保全ノートＷのタイトルと日付が時系列に並べて表示される。なお、第３履歴画面Ｇ３ａを表示する際の情報取得部２４、画面生成部２３による処理は、特定場所、種別を表示しない他は、第１履歴画面Ｇ１ａを表示する場合と同じである。
【００８５】
なお、各履歴画面Ｇ１ｂ，Ｇ２ｂ、Ｇ３ａに表示する保全情報の種別を選択できるようにしてもよい。
【００８６】
次に上記構成の保全情報管理システムの作用について説明する。例えば、設備のいずれかで故障が発生したり、周期的な点検等で異常を発見したりした場合や、保全計画で決めた整備指示を入力する場合に、新規の保全ノートＷを生成する。点検員は、第１履歴ウインドウＧ１の第１階層画面Ｇ１ａあるいは第２履歴ウインドウＧ２の第２階層画面Ｇ２ａの階層構造図Ｄ上で、その時点で故障または異常の発生が特定できている管理単位、または整備対象の管理単位を選択する。
【００８７】
続いて、点検、故障、整備のいずれかの種別の新規生成ボタンをクリックする。これにより、選択した管理単位を紐付け先とし、点検情報、故障情報、または整備指示情報を基本保全情報とする保全ノートＷの新規生成が保全ノート登録部１７に指示される。
【００８８】
以下、周期的な点検において、図５に示される製膜設備４０の乾燥エリア４３内で異音が発生している場合を想定して説明する。異音の発生箇所が乾燥エリア４３内であること以上に特定出来ていない場合には、点検員は、階層構造図Ｄ上で乾燥エリア４３に対応する管理単位「乾燥エリア」を選択し、点検の新規生成ボタンをクリックする。この操作により、保全ノート登録部１７は、基本保全情報の種別を「点検」、特定場所を管理単位「乾燥エリア」とした新規の保全ノートＷを生成する。この後、生成した新規の保全ノートＷに基づくメイン画面Ｇ３ｂを画面生成部２３に生成させてノートウインドウＧ３を表示部１４に表示する。
【００８９】
また、保全データベース１６に格納されている階層情報に基づいて、情報取得部２４が特定場所である管理単位「乾燥エリア」の下位にある管理単位を特定する。続いて、選択された管理単位「乾燥エリア」を紐付け先とする保全ノートＷと、特定された管理単位を紐付け先とする保全ノートＷとに記録されている保全情報が、情報取得部２４によって保全データベース１６から取得される。この取得された保全情報が画面生成部２３に送られることにより、第３履歴画面Ｇ３ａが生成されてノートウインドウＧ３内に表示される。
【００９０】
したがって、第３履歴画面Ｇ３ａには、管理単位「乾燥エリア」の他、管理単位「搬送装置」、「パスロールグループ」、「駆動系」、「第１パスロール」，「第２パスロール」，「第３パスロール」・・・・、「乾燥装置」、「給気ユニット」、「チャンバ」、「送風ファン」、「送風用駆動回路」、「羽根」、「送風モータ」を紐付け先としている各保全ノートＷから得られる故障発生日、異常発生日、整備予定日あるいは整備実施日と、タイトル、整備内容あるいは整備状況とが時系列に並べた状態で表示される。
【００９１】
点検員は、操作部１５を操作して、メイン画面Ｇ３ｂにタイトル、日付（異常発生日）、異常状況、処置を入力する。その後、ノートウインドウＧ３を閉じたり、登録ボタン（図示省略）をクリックしたりすることで、点検情報が記録された保全ノートＷが保全データベース１６に登録される。この登録に際して、保全ノート登録部１７は、選択された管理単位「乾燥エリア」の例えば管理単位ＩＤを保全ノートＷに記録することによって、管理単位「乾燥エリア」に保全ノートＷを紐付ける。なお、新規の保全ノートＷを保全データベース１６にいったん登録した後に、その保全ノートＷに点検情報などの基本保全情報を記録してもよい。
【００９２】
点検員は、必要に応じて原因分析を分析員に依頼する。依頼された分析員は、第１履歴ウインドウＧ１の第１履歴画面Ｇ１ｂあるいは第２履歴ウインドウＧ２の第２履歴画面Ｇ２ｂ上で依頼された保全ノートＷに対応するノート情報Ｒ１またはＲ２を選択する。この選択した状態で、保全ノートＷの表示を指示する。この指示に応答して、情報取得部２４は、選択された保全ノートＷに記録されている保全情報を取得する。
【００９３】
また、その保全ノートＷの紐付け先の管理単位「乾燥エリア」と、この管理単位「乾燥エリア」の下位にある各管理単位とを紐付け先としている各保全ノートＷに記録されている保全情報が保全データベース１６から情報取得部２４によって取得される。
【００９４】
このように、情報取得部２４が取得した保全情報に基づいて画面生成部２３で第３履歴画面Ｇ３ａとメイン画面Ｇ３ｂが生成され、これら各画面Ｇ３ａ，Ｇ３ｂを含むノートウインドウＧ３が表示される。このときに、メイン画面Ｇ３ｂには点検員が入力した点検情報が表示されている。また、第３履歴画面Ｇ３ａには、管理単位「乾燥エリア」と、この管理単位「乾燥エリア」の下位にある管理単位を紐付け先としている各保全ノートＷから取得された故障発生日、異常発生日、整備予定日あるいは整備実施日と、タイトル、整備内容あるいは整備状況とが時系列に並べた状態で表示される。
【００９５】
上記のようにメイン画面Ｇ３ｂを表示した状態で逆引ボタン５６ｂをクリックすると、保全ノートウインドウＧ３内の情報表示エリアに逆引画面Ｇ３ｃが表示される。逆引画面Ｇ３ｃ上のキーワード欄に症状、場所などをキーワードとして入力してから、検索ボタン５７をクリックする。これにより、逆引部２５によって、キーワード欄に入力された症状、場所に対応する原因が逆引データベースで検索される。検索された原因は、画面生成部２３に送られ、逆引画面Ｇ３ｃ上の検索結果欄に原因候補として表示される。
【００９６】
分析員は、設備仕様データベース２１にアクセスして、原因候補に該当する部品や装置などを調べる。また、日常点検データベース２２にアクセスして、測定データに異常がないかなどを調べ、さらには現場を目視等で確認するなどして異常の発生場所を特定する。このときに、表示部１４上に表示された仕様参照ボタン、測定データ参照ボタン（いずれも図示省略）をクリック操作すると、現在情報を表示している保全ノートＷが紐付けられている管理単位及びその管理単位の下位にある管理単位の設備仕様、測定データが例えば別ウインドウに表示される。これにより、迅速に設備仕様、測定データを参照できる。
【００９７】
分析ボタン５６ｃをクリックすると、ノートウインドウＧ３内の情報表示エリアに分析画面Ｇ３ｄが表示される。分析員は、操作部１５を操作して、分析画面Ｇ３ｄの分析結果に異常が発生した原因などを入力する。また、分析の際に取得した測定データや写真など資料情報は、資料欄に入力する。このように入力される分析情報は、附随保全情報記録部１８によって保全データベース１６に送られ、表示中の保全ノートＷの分析情報として記録される。
【００９８】
ところで、上記のように異常が発生している管理単位が特定できたならば、例えば分析画面Ｇ３ｄ内の特定場所に示されている管理単位を、操作部１５の操作によって、特定した管理単位に修正する。例えば、第２パスロール４８ｂで異音が発生していることを特定できたならば、それまで管理単位「乾燥エリア」とされていた特定場所をさらに下位の管理単位である「第２パスロール」に修正する。なお、分析画面Ｇ３ｄ以外の画面、例えばメイン画面Ｇ３ｂや逆引画面Ｇ３ｃ、整備画面Ｇ３ｅなどで修正してもよい。
【００９９】
また、あわせてタイトルも適切なものに修正する。例えば「乾燥エリアで異音発生」となっていたタイトルを「第２パスロール異音発生」のように修正する。これらの修正内容は、修正部１９に送られる。これにより、現在表示部１４に情報を表示している保全ノートＷのタイトルが「第２パスロール異音発生」に修正されるとともに、その保全ノートＷの紐付け先が管理単位「第２パスロール」に修正される。もちろん、修正後の各画面上に表示される特定場所の表示も変更される。
【０１００】
分析結果に応じて整備が必要となった場合には、続けて整備ボタン５６ｄをクリックする。これにより、整備画面Ｇ３ｅがノートウインドウＧ３内に表示される。この整備画面Ｇ３ｅに整備内容、整備仕様、コスト、整備予定日を操作部１５によって入力する。これら入力された情報は、附随保全情報記録部１８によって保全データベース１６に送られ、表示している保全ノートＷの整備指示情報として記録される。
【０１０１】
整備指示情報に基づいて整備員が整備の実施、この場合には第２パスロール４８ｂの交換を行う。整備終了後には、ノートウインドウＧ３を上記同様な手順で表示してから、整備ボタン５６ｄをクリックすることで整備画面Ｇ３ｅを表示する。そして、整備実施日、整備状況を入力する。この入力された整備実施日、整備状況は、附随保全情報記録部１８によって保全データベース１６に送られ、表示している保全ノートＷの整備結果情報として記録される。
【０１０２】
故障の場合には、第１階層画面Ｇ１ａあるいは第２階層画面Ｇ２ａの階層構造図Ｄ上で、故障が特定できている管理単位を選択し、故障の新規生成ボタンをクリックする。この操作により、保全ノート登録部１７により、基本保全情報の種別を「故障」、選択した管理単位を特定場所とした新規の保全ノートＷが生成される。この後、生成した新規の保全ノートＷに基づくメイン画面Ｇ３ｂが画面生成部２３で生成され、ノートウインドウＧ３が表示部４に表示される。
【０１０３】
異常が発生した場合と同様にして、順次各画面を表示させて情報を入力していく。故障の場合、整備結果の入力後には、故障ボタン５６ｅをクリックして、故障報告画面を表示部１４に表示させて、故障に関する報告内容を入力する。入力した情報を保全ノートＷに記録して、一連の保全情報の記録が完了する。
【０１０４】
点検結果や故障とは別に整備を指示する場合には、階層構造図Ｄ上で、整備すべき管理単位を選択し、整備の新規生成ボタンをクリックすればよい。保全ノート登録部１７により、基本保全情報の種別を「整備」、選択した管理単位を特定場所とした新規の保全ノートＷが生成され、ノートウインドウＧ３が表示部１４に表示される。この後は、異常が発生した場合の整備指示情報、整備結果の入力と同じである。
【０１０５】
ところで、保全計画を立てる場合、例えば整備タイミングを判断する場合には、第２履歴ウインドウＧ２を表示、あるいはその表示を更新する。次に、第２階層画面Ｇ２ｂ上の階層構造図Ｄで、整備タイミングを判断すべき管理単位、またはその管理単位よりも上位の管理単位を選択する。
【０１０６】
上記のように管理単位を選択すると、図１４に示すように、情報取得部２４は、保全データベース１６上に階層情報にアクセスし、選択された管理単位の下位の管理単位を特定する。そして、選択された管理単位に紐付けられている保全ノートＷと、特定された管理単位に紐付けられている保全ノートＷとに記録されている保全情報を取得して保全ノートＷごとに画面生成部２３に順次に送る。
【０１０７】
画面生成部２３は、情報取得部２４から１番目の保全ノートＷの保全情報が入力されると、そのうちの基本保全情報に記録されているタイトルをノート情報Ｒ２とする。また、このノート情報Ｒ２に対応付けて基本保全情報の日付と種別を取得する。
【０１０８】
次に、情報取得部２４からの保全情報内に附随整備指示情報があるか否かを調べる。附随整備指示情報がない場合には、１番目の保全ノートＷの保全情報に対する処理を終了する。一方、附随整備指示情報があるときには、さらに整備結果情報があるか否かを調べる。例えば附随整備指示情報があるが、整備結果情報がない場合には、附随整備指示情報中の整備内容に「（予定）」を付加したものをノート情報Ｒ２とし、このノート情報Ｒ２に附随整備指示情報の整備予定日が日付として、また整備指示が種別として取得される。また、附随整備指示情報と整備結果情報とがある場合には、整備結果情報中の整備状況がノート情報Ｒ２とされ、このノート情報Ｒ２の整備実施日が日付として、また整備結果が種別として取得される。
【０１０９】
上記のように、１番目の保全ノートＷの保全情報に対する処理を行った後、次に入力される２番目の保全ノートＷの保全情報に対する処理を、１番目の保全ノートＷの保全情報と同様に処理する。以降、同様にして最終の保全ノートＷの保全情報に対する処理までを行う。結果として、選択された管理単位に紐付けられた保全ノートＷとその下位の管理単位に紐付けられた保全ノートＷとの合計がＭ個であり、そのうち随整備指示情報が記録されているものがＮ個であれば、（Ｍ＋Ｎ）個のノート情報Ｒ２が生成される。
【０１１０】
上記のようにノート情報Ｒ２を生成したのち、各ノート情報Ｒ２は、ノート情報Ｒ２の基になった保全情報の種別に基づいて整備、点検、故障に分類され、そして取得した日付に基づいて時系列に並べられて第２履歴画面Ｇ２ｂが生成される。このときに、故障情報に基づくノート情報Ｒ２は故障発生日、点検情報に基づくノート情報Ｒ２は異常発生日、基本保全情報であるか附随保全情報であるかを問わず整備指示情報に基づくノート情報Ｒ２は整備予定日、整備指結果情報に基づくノート情報Ｒ２は整備実施日を用いて時系列に並べられている。また、故障情報に基づくノート情報Ｒ２は故障に分類され、点検情報に基づくノート情報Ｒ２は点検に分類される。また、整備指示情報、整備指結果情報に基づくノート情報Ｒ２は、対応する種別が整備指示、整備結果であるから整備に分類される。そして、その生成された第２履歴画面が第２履歴ウインドウＧ２内に表示される。
【０１１１】
図４に示される階層構造で管理単位「乾燥エリア」を指定した場合には、管理単位「乾燥エリア」と、その下位の管理単位である「搬送装置」、「パスロールグループ」、「駆動系」、「第１パスロール」、「第２パスロール」、「第３パスロール」・・・・「乾燥装置」、「給気ユニット」、「チャンバ」、「送風ファン」、「送風用駆動回路」、「羽根」、「送風モータ」を紐付け先としている各保全ノートＷのそれぞれからノート情報Ｒ２が生成される。そして、それらノート情報Ｒ２が整備、点検、故障に分類され、かつ時系列に並べた状態で第２履歴画面Ｇ２ｂが表示される。
【０１１２】
図８に示される第２履歴画面Ｇ２ｂの例では、管理単位「送風ファン」、「第１パスロール」，「第２パスロール」，「第３パスロール」に紐付けされた保全ノートＷがあり、その保全ノートＷから生成された８個のノート情報Ｒ２が表示されている。８個のノート情報Ｒ２のうち、例えば「第３パスロール故障」は、第３パスロールの故障に応じて登録された保全ノートＷの故障情報（基本保全情報）に基づいたノート情報Ｒ２であり、「第３パスロール交換」は、その保全ノートＷの整備結果情報に基づいたノート情報Ｒ２である。また、「第１パスロール交換（予定）」は、整備指示情報に基づいたノート情報Ｒ２であって整備が未実施であることがわかる。
【０１１３】
指定する管理単位を変更すれば、その変更後の管理単位とその下位の各管理単位とに紐付けられた保全ノートＷに記録されている保全情報が取得されて第２履歴画面Ｇ２ｂが更新される。したがって、選択する管理単位を上位のものに変更すれば、より広い範囲で、より多くの管理単位に紐付けされた保全ノートＷから生成されるノート情報Ｒ２が第２履歴画面Ｇ２ｂに表示される。逆に、管理単位を下位のものに変更すれば表示されるノート情報Ｒ２の管理単位が絞り込まれる。
【０１１４】
例えば、図８に示される表示状態で、選択する管理単位を「乾燥エリア」から「搬送装置」あるいは「パスグループ」に変更すると、第２履歴画面Ｇ２ｂ上には管理単位「チャンバ」のノート情報Ｒ２が消え、「第１パスロール」，「第２パスロール」，「第３パスロール」のノート情報Ｒ２だけが表示された状態になる。
【０１１５】
このように、選択する管理単位を上位・下位に変更するだけで、各種の装置、部品等を含むような統括的な保全状況を把握することも、個々の装置やパスロールなど構成部材等の保全状況を把握することも容易に行える。なお、第１履歴画面Ｇ１ａにおいても同様に把握することができる。
【０１１６】
また、統括的な保全状況を把握することができるので、同一の管理単位の階層下にある二以上の装置間、部品間での相互の異常・故障の発生状態等を容易に比較して適正な整備タイミングを決められる。例えば、図８の例では、第３パスロール４８ｃは、異音が発生してから約２ヶ月で故障していることがわかる。この結果から各パスロールは、異音発生から２ヶ月が経過することなく故障となると予測し、第２パスロール４８ｂについては異音発生から２ヶ月よりも短い期間内に整備の実施を指示して交換を行っている。そして、それまで使われていた第２パスロール４８ｂを調べた結果が限界に達する直前であり交換時期として適正であったとの知見に基づき、第１パスロール４８ａについては異音発生から第２パスロール４８ｂのときと同じ期間で整備を実施すればよいことが判断できる。図８では、その判断により、第１パスロール４８ａを交換するための整備指示がなされていることにより、「第１パスロール交換（予定）」が表示されている。
【０１１７】
また、二以上の装置間、部品間での異常、故障、整備実施の相関性を容易に把握することができる。例えば整備によって特定の部品を交換してから一定の期間経過後に他の部品が故障する等という現象があるが、従来のように装置や部品ごとに履歴を表示しているのでは、そのような現象が生じているのか否かを発見しづらい。しかしながら、第２履歴画面Ｇ２ｂでは、同一の管理単位の階層下にある各管理単位の異常や故障のタイミング、整備のタイミングを同時に把握できるので、上記のような現象を発見しやすい。また、このような現象することで、整備実施の適正なタイミングを判断できるようになる。図８の例では、管理単位「乾燥エリア」を選択することによって、搬送装置４５と乾燥装置４６の保全状況が表示されている。
【０１１８】
上記では製膜設備の保全情報の管理を例示しているが、本発明は、各種設備の保全情報の管理に利用することができる。
【符号の説明】
【０１１９】
１０  保全情報管理システム
１１  端末装置
１２  サーバ装置
１４  表示部
１６  保全データ
１７  保全データ登録部
１８  附随保全情報記録部
１９  修正部
２３  画面生成部
２４  情報取得部
Ｄ  階層構造図
Ｇ１ｂ，Ｇ２ｂ  履歴画面
Ｒ１，Ｒ２  ノート情報
Ｗ  保全ノート
【図１】
2015046119.tif 000003
【図２】
2015046119.tif 000004
【図３】
2015046119.tif 000005
【図４】
2015046119.tif 000006
【図５】
2015046119.tif 000007
【図６】
2015046119.tif 000008
【図７】
2015046119.tif 000009
【図８】
2015046119.tif 000010
【図９】
2015046119.tif 000011
【図１０】
2015046119.tif 000012
【図１１】
2015046119.tif 000013
【図１２】
2015046119.tif 000014
【図１３】
2015046119.tif 000015
【図１４】
2015046119.tif 000016